(57)【要約】【課題】カバーのコネクタハウジングに対する位置ずれを抑制して、嵌合操作を円滑に完了できるレバー式コネクタを提供する。【解決手段】レバー式コネクタ１は、電線保持部１１を備えるコネクタハウジング１０と、端末部が電線保持部１１に保持され、コネクタハウジング１０から延びる電線Ｗと、コネクタハウジング１０に組み付けられ、嵌合開始位置から嵌合完了位置まで回動可能とされたレバー２０と、コネクタハウジング１０に組み付けられてコネクタハウジング１０から延びる電線Ｗを覆うカバー５０と、を備え、カバー５０が位置決め部５５Ａを備え、レバー２０が、嵌合完了位置にあるときに位置決め部５５Ａに当接することでカバー５０を正規装着位置に位置決めする位置決め受部を備える。【選択図】図１１
2020166940.tif 000002
【特許請求の範囲】
【請求項１】
電線保持部を備えるコネクタハウジングと、
端末部が前記電線保持部に保持され、前記コネクタハウジングから延びる電線と、
前記コネクタハウジングに組み付けられ、嵌合開始位置から嵌合完了位置まで回動可能とされたレバーと、
前記コネクタハウジングに組み付けられて前記コネクタハウジングから延びる前記電線を覆うカバーと、を備え、
前記カバーが位置決め部を備え、
前記レバーが、前記嵌合完了位置にあるときに前記位置決め部に当接することで前記カバーを正規装着位置に位置決めする位置決め受部を備える、レバー式コネクタ。
【請求項２】
前記レバーがロック部を備え、前記カバーが前記ロック部に係止するロック受部を備えている、請求項１に記載のレバー式コネクタ。
【請求項３】
前記カバーが、前記レバーが前記嵌合完了位置にあるときに前記ロック部を内部に収容する収容凹部を有している、請求項２に記載のレバー式コネクタ。
【請求項４】
前記カバーが、前記電線を屈曲された状態に保持する屈曲保持部を備えている、請求項１から請求項３のいずれか１項に記載のレバー式コネクタ。
【請求項５】
前記位置決め部が、前記カバーの外面から突出する補強リブである、請求項１から請求項４のいずれか１項に記載のレバー式コネクタ。
【請求項６】
前記位置決め受部が、前記レバーの表面から凹む肉抜き穴の内面である、請求項１から請求項５のいずれか１項に記載のレバー式コネクタ。
【請求項７】
前記位置決め受部が、前記レバーが前記嵌合完了位置にあるときに前記位置決め部に当接する一の当接面と、前記一の当接面に対して垂直に配置され、前記レバーが前記嵌合完了位置にあるときに前記位置決め部に当接する他の当接面とを備えている、請求項１から請求項６のいずれか１項に記載のレバー式コネクタ。
【発明の詳細な説明】
【技術分野】
【０００１】
本明細書によって開示される技術は、レバー式コネクタに関する。
【背景技術】
【０００２】
レバー式コネクタは、カム機構を備えるレバーを有するコネクタである。レバー式コネクタを相手コネクタと嵌合させる際には、レバーを嵌合開始位置から嵌合完了位置まで回動させることに伴うカム作用によって、双方のコネクタの嵌合を少ない力で容易に行うことができる。
このようなレバー式コネクタとして、コネクタハウジングから導出された電線を覆うカバーを備えるコネクタがある（特許文献１参照）。
【先行技術文献】
【特許文献】
【０００３】
【特許文献１】特開平８−１８５９２５号公報
【発明の概要】
【発明が解決しようとする課題】
【０００４】
上記のような構成を有するレバー式コネクタにおいて、カバーのコネクタハウジングに対する位置ずれを抑制して、嵌合操作を円滑に完了できるようにしたいとの要請がある。
【課題を解決するための手段】
【０００５】
本明細書によって開示されるレバー式コネクタは、電線保持部を備えるコネクタハウジングと、端末部が前記電線保持部に保持され、前記コネクタハウジングから延びる電線と、前記コネクタハウジングに組み付けられ、嵌合開始位置から嵌合完了位置まで回動可能とされたレバーと、前記コネクタハウジングに組み付けられて前記コネクタハウジングから延びる前記電線を覆うカバーと、を備え、前記カバーが位置決め部を備え、前記レバーが、前記嵌合完了位置にあるときに前記位置決め部に当接することで前記カバーを正規装着位置に位置決めする位置決め受部を備える。
【発明の効果】
【０００６】
本明細書によって開示されるレバー式コネクタによれば、カバーのコネクタハウジングに対する位置ずれを抑制して、嵌合操作を円滑に完了できる。
【図面の簡単な説明】
【０００７】
【図１】図１は、実施形態のレバー式コネクタの斜視図である。
【図２】図２は、実施形態のコネクタハウジングの斜視図である。
【図３】図３は、実施形態のレバーの斜視図である。
【図４】図４は、実施形態のレバーを図３とは異なる方向から見た斜視図である。
【図５】図５は、実施形態のカバーの斜視図である。
【図６】図６は、実施形態のレバー式コネクタの平面図である。
【図７】図７は、実施形態において、嵌合初期のレバー式コネクタと相手コネクタとを、図６のＡ−Ａ線の位置で一部破断して示す側面図である。
【図８】図８は、実施形態において、嵌合初期のレバー式コネクタと相手コネクタとを、図６のＢ−Ｂ線の位置で一部破断して示す側面図である。
【図９】図９は、実施形態において、嵌合完了後のレバー式コネクタと相手コネクタとを示す平面図である。
【図１０】図１０は、実施形態において、嵌合完了後のレバー式コネクタと相手コネクタとを、図９のＣ−Ｃ線の位置で一部破断して示す側面図である。
【図１１】図１１は、実施形態において、嵌合完了後のレバー式コネクタと相手コネクタとを、図９のＤ−Ｄ線の位置で一部破断して示す側面図である。
【図１２】図１０は、実施形態において、嵌合完了後のレバー式コネクタを、図１１のＥ−Ｅ線の位置で一部破断して示す側面図である。
【発明を実施するための形態】
【０００８】
［実施形態の概要］
本明細書によって開示されるレバー式コネクタは、電線保持部を備えるコネクタハウジングと、端末部が前記電線保持部に保持され、前記コネクタハウジングから延びる電線と、前記コネクタハウジングに組み付けられ、嵌合開始位置から嵌合完了位置まで回動可能とされたレバーと、前記コネクタハウジングに組み付けられて前記コネクタハウジングから延びる前記電線を覆うカバーと、を備え、前記カバーが位置決め部を備え、前記レバーが、前記嵌合完了位置にあるときに前記位置決め部に当接することで前記カバーを正規装着位置に位置決めする位置決め受部を備える。
【０００９】
上記の構成によれば、カバーがコネクタハウジングに対して位置ずれしていると、カバーがレバーに干渉するなどして、レバーが所定の嵌合完了位置に収まらず、嵌合操作を円滑に完了できないことが懸念される。上記の構成によれば、レバーが嵌合完了位置に回動されると、位置決め部が位置決め受部に当接することによって、カバーが正規の装着位置に位置決めされる。これにより、レバーが所定の嵌合完了位置に収まるので、嵌合操作を円滑に完了させることができる。
【００１０】
上記の構成において、前記レバーがロック部を備え、前記カバーが前記ロック部に係止するロック受部を備えていても構わない。
【００１１】
ロック受部がカバーに備えられている場合には、カバーがコネクタハウジングに対して位置ずれしていると、ロック部とロック受部とが位置ずれしてロックができず、嵌合操作が完了できなくなってしまうことがある。このようなレバー式コネクタにおいて、上記のような位置決め部と位置決め受部とによってカバーの位置決めを行う構成を備えることが、嵌合操作を円滑に完了させるために有効である。
【００１２】
上記の構成において前記カバーが、前記レバーが前記嵌合完了位置にあるときに前記ロック部を内部に収容する収容凹部を有していても構わない。
【００１３】
このような構成によれば、収容凹部が設けられていない場合と比較して、嵌合完了位置にあるときのレバーのカバーからの突出量を小さくすることができ、レバー式コネクタ全体を小型化することができる。
【００１４】
上記の構成において、前記カバーが、前記電線を屈曲された状態に保持する屈曲保持部を備えていても構わない。
【００１５】
カバーが電線を屈曲された状態に保持する場合には、屈曲された電線が元に戻ろうとする力によって、カバーが位置ずれしやすい。このような構成のレバー式コネクタにおいて、カバーを正規の装着位置に位置決めする位置決め部と位置決め受部とを備えることが、カバーの位置ずれを抑制し、嵌合操作を円滑に完了させるために有効である。
【００１６】
上記の構成において、前記位置決め部が、前記カバーの外面から突出する補強リブであっても構わない。
【００１７】
このような構成によれば、補強を目的としてカバーに配置された補強リブを、位置決め部として流用できるため、カバーの大幅な設計変更が不要となる。
【００１８】
上記の構成において、前記位置決め受部が、前記レバーの表面から凹む肉抜き穴の内面であっても構わない。
【００１９】
このような構成によれば、レバーを射出成形により形成する際の変形防止を目的として設けられた肉抜き穴を、位置決め受部に流用できるため、レバーの大幅な設計変更が不要となる。
【００２０】
上記の構成において、前記位置決め受部が、前記レバーが前記嵌合完了位置にあるときに前記位置決め部に当接する一の当接面と、前記一の当接面に対して垂直に配置され、前記レバーが前記嵌合完了位置にあるときに前記位置決め部に当接する他の当接面とを備えていても構わない。
【００２１】
このような構成によれば、互いに垂直な２方向でカバーの位置ずれを抑制することができ、位置ずれ抑制がより確実となる。
【００２２】
［実施形態の詳細］
本明細書によって開示される技術の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２３】
＜実施形態＞
実施形態を、図１から図１２を参照しつつ説明する。本実施形態のレバー式コネクタ１は、カムフォロア６２を有する相手コネクタ６０と嵌合するコネクタであって、図１に示すように、複数の電線Ｗを保持するコネクタハウジング１０と、このコネクタハウジング１０に組み付けられるレバー２０と、同じくコネクタハウジング１０に組み付けられるカバー５０とを備えている。
【００２４】
［コネクタハウジング１０］
コネクタハウジング１０は、合成樹脂製であって、図２に示すように、ブロック状の電線保持部１１と、この電線保持部１１を囲む筒状のフード部１２とを備えている。電線Ｗは、端末部が電線保持部１１に保持され、コネクタハウジング１０から延びている。
【００２５】
フード部１２のうち、互いに平行に配された２つの壁部は、取付壁部１２Ａとなっている。各取付壁部１２Ａは、カムフォロア６２を受け入れる受入溝１３を有している。また、２つの取付壁部１２Ａのそれぞれからは、レバー２０を回動可能に軸支するための円柱状の支持軸１４が突出している。
【００２６】
［レバー２０］
レバー２０は、合成樹脂製であって、図３および図４に示すように、コネクタハウジング１０を挟んで互いに平行に配置される一対のカム板部２１と、これら一対のカム板部２１同士を連結する回動操作部３１とを備えた、略Ｕ字形の部材である。
【００２７】
カム板部２１は、取付壁部１２Ａに沿って配置される板状の部分であって、図３に示すように、支持軸１４を受け入れる軸受孔２２と、カムフォロア６２を受け入れるカム溝２３とを有している。
【００２８】
軸受孔２２は、カム板部２１を貫通する略円形の孔である。カム溝２３は、カム板部２１において取付壁部１２Ａと対向する面から凹む溝であって、カム板部２１の一縁に、カムフォロア６２の進入を許容する進入口２３Ｅを有し、この進入口２３Ｅから奥方に向かって延びている。カム溝２３は、進入口２３Ｅから奥方に向かうにつれて次第にカム板部２１の回動中心である軸受孔２２に接近するような略弧状をなしている。
【００２９】
回動操作部３１は、図３に示すように、ロック部３２と、２つの連結部３６とを備えている。
【００３０】
ロック部３２は、２つのカム板部２１間の中央位置に配置され、カバー５０に備えられるロック受部５６にロックされる部分であって、板状の２つの架橋部３３Ａ、３３Ｂと、ロックアーム３５とを備えている。
【００３１】
２つの架橋部３３Ａ、３３Ｂは、互いに間隔を空けて配置されており、２つの架橋部３３Ａ、３３Ｂ間の空間は、ロック空間３４となっている。ロックアーム３５は、図４および図７に示すように、一方の架橋部３３Ａから延び、互いに間隔を空けて配置される一対のアーム部３５Ａと、一対のアーム部３５Ａ間を繋ぐロック操作部３５Ｂおよびロック梁３５Ｃとを備え、ロック空間３４内に配置されている。このロックアーム３５は、一方の架橋部３３Ａとの連結位置を基端として、他方の架橋部３３Ｂに接近−離間する方向に撓み可能となっている。
【００３２】
図３に示すように、２つの連結部３６のうち一方は、２つの架橋部３３Ａ、３３Ｂと一方のカム板部２１とを連結する板状の部分であり、他方は、２つの架橋部３３Ａ、３３Ｂと他方のカム板部２１とを連結する板状の部分である。
【００３３】
各連結部３６は、図３に示すように、レバー２０を射出成形によって形成する際の変形防止を目的として、複数の凹部（肉抜き穴３７）を有している。一方の連結部３６において、複数の肉抜き穴３７のうち１つは、カバー５０に備えられる位置決め部５５Ａを内部に受け入れる位置決め凹部３７Ａである。位置決め凹部３７Ａは、連結部３６の表面のうち、レバー２０が嵌合完了位置にあるときにカバー５０と対向する面から凹む凹部である。位置決め凹部３７Ａは、複数の内面を有している。複数の内面のうち、カム板部２１に平行な一面は、図８および図１２に示すように、第１当接面３７Ｂであり、第１当接面３７Ｂに対して垂直な他の面は、図８および図１１に示すように、第２当接面３７Ｃであり、第１当接面３７Ｂに対して垂直であり、第２当接面３７Ｃとは異なる他の面は、図８および図１１に示すように、第３当接面３７Ｄである。他方の連結部３６においても同様である。
【００３４】
レバー２０は、図１および図６に示すように、２つのカム板部２１のそれぞれが２つの取付壁部１２Ａのそれぞれに沿うように配置され、支持軸１４が軸受孔２２に嵌合されることで、コネクタハウジング１０を跨ぐようにして取り付けられる。レバー２０は、カム板部２１へのカムフォロア６２の進入を許容する嵌合開始位置（図６、図７および図８に示す位置）と、コネクタハウジング１０に対して相手コネクタ６０が正規嵌合位置に嵌合された状態となる嵌合完了位置（図９、図１０、図１１および図１２に示す位置）との間で回動可能に軸支される。
【００３５】
ロック部３２は、図３に示すように、２つの架橋部３３Ａ、３３Ｂと、これらの架橋部３３Ａ、３３Ｂの間に配されるロックアーム３５とを備える分、連結部３６よりも厚みが大きくなっており、一部が連結部３６よりも突出している。ロック部３２の突出部分は、図６に示すように、カバー５０側を向いている。
【００３６】
レバー２０には、検知体４０が組付けられている。検知体４０は、合成樹脂製であって、図７に示すように、ロック部３２に組み付けられる略Ｕ字状の組付部４１と、この組付部４１の中心位置から延び、組付部４１との連結位置を基端として撓み可能な撓み片４２と、撓み片４２の先端から突出する係止爪４３とを備えている。この検知体４０は、全体がロック空間３４の内部に収容される検知位置（図１０の位置）と、ロック空間３４から一部が飛び出した待機位置（図７の位置）との間で変位可能となっている。
【００３７】
［カバー５０］
カバー５０は、コネクタハウジング１０に組み付けられて、コネクタハウジング１０から延びる電線Ｗを覆う部材である。
【００３８】
カバー５０は、合成樹脂製であって、図５および図７に示すように、互いに向かい合って配される第１保護壁部５１および第２保護壁部５２と、これら２つの保護壁部５１、５２間を連結する屈曲保持部５３とを備えている。第１保護壁部５１は、レバー２０が嵌合完了位置にあるときに、回動操作部３１に沿って配される壁部である。屈曲保持部５３は、略Ｌ字状をなしている。コネクタハウジング１０から延びる電線Ｗは、この屈曲保持部５３に沿って配されることで、屈曲された状態に保持される。
【００３９】
第１保護壁部５１は、図５および図６に示すように、コネクタハウジング１０に隣接する第１段部５１Ａと、第１段部５１Ａと平行に延び、第１段部５１Ａよりも第２保護壁部５２に近接して位置する第２段部５１Ｂと、第１段部５１Ａと第２段部５１Ｂとをつなぐ段差部５１Ｃとを備えて、段差を有する形状となっている。さらに、第２段部５１Ｂは、第２保護壁部５２に向かって凹み、ロック部３２において連結部３６よりも突出している部分を内部に受け入れる収容凹部５４を有している。
【００４０】
カバー５０は、図５に示すように、外面から突出する複数の補強リブ５５を備えている。これらの補強リブ５５は、カバー５０の補強を目的として設けられている。これらの補強リブ５５のうち、第１保護壁部５１から延びる補強リブ５５の一部は、レバー２０が嵌合完了位置にあるときに、位置決め凹部３７Ａの内部に受け入れられる位置決め部５５Ａである。位置決め部５５Ａは、第１保護壁部５１に対して垂直に延びる板状である。この位置決め部５５Ａは、図８、図１１および図１２に示すように、レバー２０が嵌合完了位置にあるときに、第１当接面３７Ｂに当接する当接受面５５Ｂと、第２当接面３７Ｃに当接する第１当接受縁５５Ｃと、第３当接面３７Ｄに当接する第２当接受縁５５Ｄを備えている。第１当接受縁５５Ｃは、第１保護壁部５１から離れるほどコネクタハウジング１０に近づくように傾斜している。
【００４１】
カバー５０は、図５に示すように、ロック受部５６を備えている。ロック受部５６は、第１保護壁部５１から突出するロック突部５６Ａと、このロック突部５６Ａから突出するロック爪５６Ｂとを備えている。
【００４２】
［レバー式コネクタ１と相手コネクタ６０との嵌合］
レバー式コネクタ１に嵌合される相手コネクタ６０は、図７に示すように、角筒状の相手フード部６１と、相手フード部６１の外面から突出する一対のカムフォロア６２とを備えている。
【００４３】
レバー式コネクタ１が相手コネクタ６０と嵌合される際には、レバー２０が、嵌合開始位置から嵌合完了位置まで回動されるのに伴って、カム溝２３とカムフォロア６２とのカム作用によって相手コネクタ６０をコネクタハウジング１０に対して相対的に引き寄せることで、相手コネクタ６０との嵌合操作を補助する。
【００４４】
まず、レバー２０が嵌合開始位置に保持された状態で、レバー式コネクタ１が相手コネクタ６０に浅く嵌合される。すると、図７に示すように、カムフォロア６２がカム溝２３に進入する。
【００４５】
次に、レバー２０が嵌合開始位置から嵌合完了位置に向けて回動される。レバー２０の回動に伴って、カムフォロア６２とカム溝２３との係合に基づくカム作用によって、コネクタハウジング１０が相手コネクタ６０に相対的に引き寄せられる。レバー２０が嵌合完了位置に近づくと、ロックアーム３５がロック爪５６Ｂに乗り上げつつ撓まされる。
【００４６】
レバー２０が嵌合完了位置に達すると、図１０に示すように、コネクタハウジング１０が相手コネクタ６０に対して正規の嵌合位置に至る。また、ロックアーム３５がロック爪５６Ｂを乗り越えて弾性復帰する。ロック梁３５Ｃがロック爪５６Ｂに係合することで、レバー２０が嵌合完了位置に保持される。また、２つの位置決め部５５Ａが、それぞれ、対応する位置決め凹部３７Ａの内部に進入する。図１２に示すように、第１当接面３７Ｂが当接受面５５Ｂに当接することによって、カバー５０が、コネクタハウジング１０に近接−離間する方向とは垂直な方向について位置決めされる。また、図１１に示すように、第２当接面３７Ｃが第１当接受縁５５Ｃに当接することによって、カバー５０が、コネクタハウジング１０に近接−離間する方向について位置決めされる。
【００４７】
ここで、例えば、コネクタハウジング１０にカバー５０を組み付ける際の組み付け誤差や、屈曲保持部５３に沿って屈曲された電線Ｗが元に戻ろうとする力などに起因して、カバー５０がコネクタハウジング１０に対して位置ずれしていると、レバー２０が所定の嵌合完了位置に収まらず、嵌合操作が円滑に完了されなくなる場合がある。本実施形態では、カバー５０が嵌合完了位置にあるときに、第１当接面３７Ｂが当接受面５５Ｂに当接することで、カバー５０が、コネクタハウジング１０に対して近接−離間する方向とは垂直な方向（図１２の左右方向）について位置決めされる。また、第２当接面３７Ｃが第１当接受縁５５Ｃに当接し、第３当接面３７Ｄが第２当接受縁５５Ｄに当接することで、カバー５０が、コネクタハウジング１０に対して近接−離間する方向（図１１の左右方向）について位置決めされる。このように、互いに垂直な２方向で、カバー５０のコネクタハウジング１０に対する位置ずれが抑制される。これにより、レバー２０が所定の嵌合完了位置に収まるので、嵌合操作が円滑に完了される。
【００４８】
特に、コネクタハウジング１０から延びる電線Ｗは、屈曲保持部５３に沿って配されることで、屈曲された状態に保持されている。このため、屈曲された電線Ｗが元に戻ろうとする力が、カバー５０がコネクタハウジング１０から外れようとする方向に働く。しかし、第２当接面３７Ｃが第１当接受縁５５Ｃに当接することで、カバー５０が、コネクタハウジング１０に対して近接−離間する方向について位置決めされるから、カバー５０のコネクタハウジング１０に対する位置ずれが抑制される。
【００４９】
さらに、第１当接受縁５５Ｃは、第１保護壁部５１から離れるほどコネクタハウジング１０に近づくように傾斜しており、第２当接面３７Ｃは、レバー２０が嵌合完了位置にあるときに、第１保護壁部５１に近づくほどコネクタハウジング１０から離れるように傾斜している。これにより、カバー５０がコネクタハウジング１０から外れようとする方向に、多少位置ずれしていたとしても、レバー２０の回動操作に伴って、第２当接面３７Ｃおよび第１当接受縁５５Ｃの傾斜によってカバー５０が正規の組み付け位置に案内される。これにより、レバー２０が所定の嵌合完了位置に収まるので、嵌合操作が円滑に完了される。
【００５０】
また、レバー２０が嵌合完了位置にあるときには、図１１に示すように、ロック部３２において、連結部３６よりも突出している部分が、収容凹部５４の内部に収まっている。これにより、収容凹部５４が設けられていない場合と比較して、嵌合完了位置にあるときのレバー２０のカバー５０からの突出量を小さくすることができ、レバー式コネクタ１全体が小型化される。
【００５１】
レバー２０が所定の嵌合完了位置に収められた後、検知体４０が待機位置から検知位置に押し込まれる。係止爪４３がロック爪５６Ｂおよびロック梁３５Ｃに乗り上げ、撓み片４２が撓まされる。係止爪４３がロック爪５６Ｂおよびロック梁３５Ｃを乗り越えると、撓み片４２が弾性復帰して、係止爪４３がロック梁３５Ｃに係合する。これにより、レバー２０が嵌合完了位置にロックされる。このようにしてレバー式コネクタ１と相手コネクタ６０との嵌合が完了する。
【００５２】
［作用効果］
以上のように本実施形態によれば、レバー式コネクタ１は、電線保持部１１を備えるコネクタハウジング１０と、端末部が電線保持部１１に保持され、コネクタハウジング１０から延びる電線Ｗと、コネクタハウジング１０に組み付けられ、嵌合開始位置から嵌合完了位置まで回動可能とされたレバー２０と、コネクタハウジング１０に組み付けられてコネクタハウジング１０から延びる電線Ｗを覆うカバー５０と、を備え、カバー５０が位置決め部５５Ａを備え、レバー２０が、嵌合完了位置にあるときに位置決め部５５Ａに当接することでカバー５０を正規装着位置に位置決めする第１当接面３７Ｂおよび第２当接面３７Ｃを備える。
【００５３】
カバー５０がコネクタハウジング１０に対して位置ずれしていると、カバー５０がレバー２０に干渉するなどして、レバー２０が所定の嵌合完了位置に収まらず、嵌合操作が円滑に完了されなくなることが懸念される。上記の構成によれば、レバー２０が嵌合開始位置から嵌合完了位置まで回動されると、位置決め部５５Ａが第１当接面３７Ｂおよび第２当接面３７Ｃに当接することによってカバー５０が正規の装着位置に位置決めされる。これにより、レバー２０が所定の嵌合完了位置に収まるので、嵌合操作が円滑に完了される。
【００５４】
また、レバー２０がロック部３２を備え、カバー５０がロック部３２に係止するロック受部５６を備えている。このように、ロック受部５６がカバー５０に備えられている場合には、カバー５０がコネクタハウジング１０に対して位置ずれしていると、ロック部３２とロック受部５６とが位置ずれしてロックができず、嵌合操作が円滑に完了されなくなってしまう場合がある。このようなレバー式コネクタ１において、上記のような位置決め部５５Ａと第１当接面３７Ｂおよび第２当接面３７Ｃとによってカバー５０の位置決めを行う構成を備えることが、嵌合操作を円滑に完了させるために有効である。
【００５５】
また、カバー５０が、レバー２０が嵌合完了位置にあるときにロック部３２を内部に収容する収容凹部５４を有している。このような構成によれば、収容凹部５４が設けられていない場合と比較して、嵌合完了位置にあるときのレバー２０のカバー５０からの突出量を小さくすることができ、レバー式コネクタ１全体を小型化することができる。
【００５６】
また、カバー５０が、電線Ｗを屈曲された状態に保持する屈曲保持部５３を備えている。このように、カバー５０が電線Ｗを屈曲された状態に保持する場合には、屈曲された電線Ｗが元に戻ろうとする力によって、カバー５０が位置ずれしやすい。このような構成のレバー式コネクタ１において、カバー５０を正規の装着位置に位置決めする位置決め部５５Ａと第１当接面３７Ｂおよび第２当接面３７Ｃとを備えることが、カバー５０の位置ずれを抑制し、嵌合操作を円滑に完了させるために有効である。
【００５７】
また、位置決め部５５Ａが、カバー５０の外面から突出して設けられた補強リブ５５の１つである。このような構成によれば、補強を目的としてカバー５０に配置された補強リブ５５を、位置決め部５５Ａとして流用できるため、カバー５０の大幅な設計変更が不要となる。
【００５８】
また、第１当接面３７Ｂおよび第２当接面３７Ｃが、レバー２０の表面から凹む肉抜き穴３７の１つである位置決め凹部３７Ａの内面である。このような構成によれば、レバー２０を射出成形により形成する際の変形防止を目的として設けられた肉抜き穴３７の内面を、第１当接面３７Ｂおよび第２当接面３７Ｃに流用できるため、レバー２０の大幅な設計変更が不要となる。
【００５９】
また、位置決め部５５Ａが、第１当接面３７Ｂと、第１当接面３７Ｂに対して垂直に配置された第２当接面３７Ｃとに当接する。このような構成によれば、互いに垂直な２方向について位置ずれが抑制され、位置ずれ抑制がより確実となる。
【００６０】
＜他の実施形態＞
（１）位置決め部と位置決め受部の構成は上記実施形態の限りではなく、例えば、位置決め部がカバーに設けられる凹部の内面であり、位置決め受部がレバーに設けられ、凹部の内面に当接する突部であっても構わない。
（２）上記実施形態では、第１当接面３７Ｂと第２当接面３７Ｃとによって、互いに垂直な２方向でカバーの位置ずれが抑制されていたが、少なくともいずれか１方向についてカバーの位置ずれが抑制されていれば、一定の効果が奏される。
（３）カバーは、電線を屈曲された状態に保持する屈曲保持部を備えず、電線をまっすぐな状態で覆う部材であっても構わない。
【符号の説明】
【００６１】
１：レバー式コネクタ
１０：コネクタハウジング
１１：電線保持部
１２：フード部
１２Ａ：取付壁部
１３：受入溝
１４：支持軸
２０：レバー
２１：カム板部
２２：軸受孔
２３：カム溝
２３Ｅ：進入口
３１：回動操作部
３２：ロック部
３３Ａ、３３Ｂ：架橋部
３４：ロック空間
３５：ロックアーム
３５Ａ：アーム部
３５Ｂ：ロック操作部
３５Ｃ：ロック梁
３６：連結部
３７：肉抜き穴
３７Ａ：位置決め凹部
３７Ｂ：第１当接面（位置決め受部、一の当接面）
３７Ｃ：第２当接面（位置決め受部、他の当接面）
３７Ｄ：第３当接面（位置決め受部、他の当接面）
４０：検知体
４１：組付部
４２：撓み片
４３：係止爪
５０：カバー
５１：第１保護壁部
５１Ａ：第１段部
５１Ｂ：第２段部
５１Ｃ：段差部
５２：第２保護壁部
５３：屈曲保持部
５４：収容凹部
５５：補強リブ
５５Ａ：位置決め部
５５Ｂ：当接受面
５５Ｃ：第１当接受縁
５５Ｄ：第２当接受縁
５６：ロック受部
５６Ａ：ロック突部
５６Ｂ：ロック爪
６０：相手コネクタ
６１：相手フード部
６２：カムフォロア
Ｗ：電線
【図１】
2020166940.tif 000003
【図２】
2020166940.tif 000004
【図３】
2020166940.tif 000005
【図４】
2020166940.tif 000006
【図５】
2020166940.tif 000007
【図６】
2020166940.tif 000008
【図７】
2020166940.tif 000009
【図８】
2020166940.tif 000010
【図９】
2020166940.tif 000011
【図１０】
2020166940.tif 000012
【図１１】
2020166940.tif 000013
【図１２】
2020166940.tif 000014